(57)【特許請求の範囲】
【請求項１】
動力噴霧機の安全弁１０を、下バネ受け３０と押圧体２７を介して押圧するバネ３２を、嵌合ケース３３内に配置し、該バネ３２の圧力の調整を、前記嵌合ケース３３の外側に螺合した圧力調整ハンドル１１の回動で行い、該圧力調整ハンドル１１の回転停止位置を維持するデテント機構を、圧力調整ハンドル１１と嵌合ケース３３の間に設ける構成において、
該デテント機構はデテントボール３６と、該デテントボール３６を収納するボール収納部３３ａと、ボール収納部３３ａ内のバネ３５と、圧力調整ハンドル１１の内側の凹部１１ａとにより構成し、
該デテントボール３６を収納する筒状のボール収納部３３ａを嵌合ケース３３に設け、該ボール収納部３３ａの筒の中心線ａを、嵌合ケース３３の軸心を通過し、半径方向に引いた仮想線ｂに対して平行で、
かつ、締め付ける方向を矢印Ｙ、緩める方向を矢印Ｚとしたときに緩める方向に距離Ｌだけずらして配置したことを特徴とする動力噴霧機の圧力調整機構。
【発明の詳細な説明】
【０００１】
【発明の属する技術分野】
本発明は、動力噴霧機の吐出圧力の調整を行うハンドルを、設定位置に保持するデテント機構の構成に関する。
【０００２】
【従来の技術】
従来から動力噴霧機は、プランジャを往復動させて吸水した薬液を加圧して、吐出口より吐出してノズルより噴霧させるようにしており、この噴霧作業は灌水や薬剤散布等の作業や噴霧距離等に合わせて、吐出圧を調整できるようにしている。
この吐出圧は、本体上に設けた安全弁の圧力調整ハンドルを回動して調整するようにしていた。
【０００３】
【発明が解決しようとする課題】
従来のような安全弁の圧力調整ハンドルの締付力は、安全弁のバネ圧縮力と、ハンドル固定用のデテント力により決まり、加圧時はトルクが強く、ハンドル固定力は弱く、吐出圧力を低くするように戻す時は回動するトルクが小さい。つまり、安全弁は圧力室と余水口の間に介装して、安全弁を閉じる方向に圧縮バネで押さえ、その圧縮バネの圧力を圧力調整ハンドルを回動することにより調整しているために、バネが伸びる方向、即ち、減圧する方向への回転力は小さな力ででき、加圧する方向へは圧縮バネを圧縮するために大きな力が必要となっており、この力に加えてデテントバネを押さえて回動するので、圧力調整には更に大きな力を必要としていたのである。
そこで、本発明は、デテント位置を改良することによって加圧する方向の締付力を軽減しようとする。
【０００４】
【課題を解決するための手段】
本発明はこのような課題を解決するために次のような手段を用いる。
動力噴霧機の安全弁１０を、下バネ受け３０と押圧体２７を介して押圧するバネ３２を、嵌合ケース３３内に配置し、該バネ３２の圧力の調整を、前記嵌合ケース３３の外側に螺合した圧力調整ハンドル１１の回動で行い、該圧力調整ハンドル１１の回転停止位置を維持するデテント機構を、圧力調整ハンドル１１と嵌合ケース３３の間に設ける構成において、該デテント機構はデテントボール３６と、該デテントボール３６を収納するボール収納部３３ａと、ボール収納部３３ａ内のバネ３５と、圧力調整ハンドル１１の内側の凹部１１ａとにより構成し、該デテントボール３６を収納する筒状のボール収納部３３ａを嵌合ケース３３に設け、該ボール収納部３３ａの筒の中心線ａを、嵌合ケース３３の軸心を通過し、半径方向に引いた仮想線ｂに対して平行で、かつ、締め付ける方向を矢印Ｙ、緩める方向を矢印Ｚとしたときに緩める方向に距離Ｌだけずらして配置したものである。
【０００５】
【発明の実施の形態】
次に図面に示した本発明の一実施例の形態を説明する。
図１は動力噴霧機の平面図、
図２は同じく側面断面図、
図３は安全弁部分の側面断面図、
図４は図３におけるＸ−Ｘ矢視断面図である。
【０００６】
図１、図２において動力噴霧機の全体構成より説明する。
後部にクランクケース１を設け、該クランクケース１内にクランク軸２を軸架し、一端をクランクケース１より突出して入力軸とし、エンジンより動力を得ている。そして、クランクケース１内のクランク軸２上にコンロッド３・３を枢支し、該コンロッド３・３先端にプランジャ４・４を連結している。
【０００７】
前記プランジャ４・４先端はシリンダーケース５内に挿入され、該シリンダーケース５の前部に弁ケース９が取り付けられ、該弁ケース９とシリンダーケース５の間に吸水弁６と吐出弁７が配置され、弁ケース９上に安全弁１０とその圧力調整ハンドル１１とアキュムレータ１２が配置され、弁ケース９前面の下部に吸水口１３、上部に吐出口１４を配置し、該吐出口１４には開閉コック１５が設けられ、吸水口１３はホースを接続して薬液タンクから薬液を吸水できるようにし、吐出口１４にはホースを接続してノズルより噴霧できるようにしている。
【０００８】
そして、図３に示すように、前記吸水弁６はプランジャ４の軸心延長上に配置し、バネ１６によってバルブシート１７側へ付勢している。該バルブシート１７は弁ケース９内に嵌合したパイプ部１９の後部に固定されている。
該バルブシート１７は吐出弁７のバルブシートも兼ねており、パイプ部１９の外周にリング状の吐出弁７を配置し、バネ２０によってバルブシート１７側に付勢している。
【０００９】
前記吐出弁７の二次側は圧力室２１と連通され、該圧力室２１には吐出口１４とアキュムレータ１２と安全弁１０に連通され、更にバイパス通路２２を介してエアーバルブ２３と連通され、該エアーバルブ２３と安全弁１０の二次側は余水口２５と連通されている。
該余水口２５にはホースを接続して薬液タンクへ余水を戻すようにしている。また、前記エアーバルブ２３にはレバー２４が連結されて、該レバー２４の回動によって減圧運転、通常の作業運転、灌水運転を切り換えられるようにしている。
【００１０】
前記安全弁１０はボールバルブからなり、安全弁１０の下部はバルブシート２６に載置され、上部は押圧体２７が当接され、該押圧体２７の上部は下バネ受け３０に嵌合され、該下バネ受け３０上に圧縮バネ３２と上バネ受け３１を載置して嵌合ケース３３に収納している。
該嵌合ケース３３の外側に圧力調整ハンドル１１を螺装して、該圧力調整ハンドル１１を回動して締めつけることによって安全弁１０を押し付けて圧力を高め、吐出圧を高くできるようにしている。
【００１１】
このような構成において、吸水口１３、吐出口１４、余水口２５にそれぞれ所定のホースを接続して、クランク軸２を回動すると、プランジャ４・４が往復動されて、プランジャ４の後退でシリンダーケース５内が低圧となって、吸水弁６が開いて吸水口１３より薬液を吸入する。
そして、プランジャ４の前進摺動でシリンダーケース５内の圧力が高められて、吸水弁６は閉じ、吐出弁７が開いて圧力室２１へ送り、この繰り返しによって加圧され、脈動をアキュムレータ１２によって小さくして、吐出口１４より吐出される。そして、圧力室２１内の圧力が圧力調整ハンドル１１によって調整した圧力より高くなると、安全弁１０が開いて余水口２５よりその余剰薬液が吐出される。
【００１２】
次に、本発明の圧力調整ハンドル１１のデテント機構を説明する。
図３、図４に示すように、デテント機構Ｄが圧力調整ハンドル１１の内面と嵌合ケース３３の間に構成されている。即ち、嵌合ケース３３の外周の上部に雄ネジ部３３ｂを形成し、下部外周の一部に筒状のボール収納部３３ａを突設して形成し、該ボール収納部３３ａの中心線ａは嵌合ケース３３の中心から半径方向に設けた仮想線ｂと平行として、距離Ｌだけ偏心して配置している。そして、ボール収納部３３ａ内にバネ３５とデテントボール３６を収納している。
【００１３】
一方、圧力調整ハンドル１１は釣鐘状に構成して、外周をグリップとし、内周の上部には前記雄ネジ部３３ｂと螺合する雌ネジ部１１ｂを構成し、下部に前記デテントボール３６を嵌合する凹部１１ａ・１１ａ・・・を適宜間隔をあけて構成している。該凹部１１ａは上下方向に長く形成して、圧力調整ハンドル１１を回動して上下に摺動しても、デテントボール３６を同じ角度位置で嵌合できるようにしている。
【００１４】
このように構成することによって、動力噴霧機を作動させた作業中において、吐出圧の調整を行う場合には、圧力調整ハンドル１１を締めつけるように回動するが、従来では、ボール収納部３３ａの中心線は半径方向（ｂ）と一致しており、また、圧力調整ハンドル１１は安全弁１０を押さえつけるバネ３２の反力を受けているために、締付方向には重く、緩める方向には軽く、振動によって自然に戻ることもあったのである。
本発明の場合には、図４に示すように、圧力調整ハンドル１１の圧力を高める方向、即ち、締め付ける方向を矢印Ｙ、緩める方向を矢印Ｚとしたときに、デテント機構Ｄは半径方向に対して偏心して配置し、デテントボール３６の押し付け方向は中心線ａと同方向となり、押し付け方向に対して凹部１１ａとデテントボール３６の接触面積は、締め付ける方向よりも緩める方向の方が大きくなり、安全弁１０を押さえつけるバネ３２の圧力がかかっていないと仮定すると、締めつける力は小さくて済み、緩める力は大きな力を必要とするようになる。
従って、圧力調整ハンドル１１を締め付けて加圧するときの力は従来よりも小さく、緩める時は従来よりも大きな力を必要とし、緩み方向の固定力が増すのである。
【００１５】
【発明の効果】
本発明は以上の如く構成したことにより、次のような効果を奏するのである。
即ち、圧力調整ハンドルを回動して加圧するときには、そのハンドル操作力が従来よりも軽くなり、操作し易くなったのである。また、逆に緩める時は従来よりも緩み方向の固定力が増し、動力噴霧機の作動による振動で自然に緩み方向に回転することを防止でき、設定圧力を確実に保持できるようになったのである。
【図面の簡単な説明】
【図１】  動力噴霧機の平面図である。
【図２】  同じく側面断面図である。
【図３】  安全弁部分の側面断面図である。
【図４】  図３におけるＸ−Ｘ矢視断面図である。
【符号の説明】
Ｄ    デテント機構
１０  安全弁
１１  圧力調整ハンドル
３２  バネ
３３  嵌合ケース
３３ａ  ボール収納部
３６  デテントボール
【図１】
0003638354.tif 000002
【図２】
0003638354.tif 000003
【図３】
0003638354.tif 000004
【図４】
0003638354.tif 000005